(57)【要約】      （修正有）【課題】言語学習機能を有する寝坊防止用の目覚し時計装置を提供する。【解決手段】目覚し時計装置は、時間計測を行う時計ユニットと、目覚し時計の時間を設定する時間設定ユニット１０と、目覚し時計の報知音を発生する報知音発生ユニットと、目覚し時計の報知音を待機、又は停止させるスイッチ２０と、プリセット情報又は確認すべき情報を入力する入力ユニット３０と、計測された時間及びプリセット情報及び確認すべき情報のうちの少なくとも１つを表示するための表示ユニット４０と、プリセット情報を保存するとともにプリセット情報と確認すべき情報が同じか否かを確認するための情報処理ユニットとを含む。【選択図】図１
0003162875.tif 000002
【実用新案登録請求の範囲】
【請求項１】
言語学習機能を有する寝坊防止用の目覚し時計装置であり、
時間を計測するための時計ユニットと、
目覚し時計の時間を設定するための時間設定ユニットと、
目覚し時計の報知音を発生する報知音発生ユニットと、
前記目覚し時計の報知音を待機、又は停止させるスイッチと、
プリセット情報、又は確認すべき情報を入力するための入力ユニットと、
前記計測された時間及び前記プリセット情報及び前記確認すべき情報のうちの少なくとも１つを表示するための表示ユニットと、
前記プリセット情報を保存するとともに前記プリセット情報と前記確認すべき情報が同一か否かを確認するための情報処理ユニットとを含む目覚し時計装置。
【請求項２】
前記目覚し時計装置は、計測された前記時間を表示するためのダイヤル式表示ユニットをさらに含むことを特徴とする請求項１記載の目覚し時計装置。
【請求項３】
前記表示ユニットはデジタル式表示パネルであることを特徴とする請求項１記載の目覚し時計装置。
【請求項４】
前記デジタル式表示パネルは液晶表示スクリーン又は発光ダイオード表示スクリーンであることを特徴とする請求項３記載の目覚し時計装置。
【請求項５】
前記入力ユニットはキー入力式又はタッチ入力式の入力ユニットであることを特徴とする請求項１記載の目覚し時計装置。
【請求項６】
前記入力ユニットは情報が入力できるように無線伝送ユニットにさらに接続されていることを特徴とする請求項１記載の目覚し時計装置。
【請求項７】
前記無線伝送ユニットは携帯電話、コンピュータ、個人用デジタル補助装置（personal
digital assistant, PDA）又はそれらの組合せであることを特徴とする請求項６記載の
目覚し時計装置。
【請求項８】
前記プリセット情報及び確認すべき情報は一種又は多種の言語の語彙、フレーズ、文、数字、符号又はそれらの組合せであることを特徴とする請求項１記載の目覚し時計装置。
【請求項９】
前記目覚し時計の報知音は前記プリセット情報の発音又はベル音であることを特徴とする請求項１記載の目覚し時計装置。
【請求項１０】
前記情報処理ユニットはマイクロプロセッサであることを特徴とする請求項１記載の目覚し時計装置。
【考案の詳細な説明】
【技術分野】
【０００１】
本考案は目覚し時計装置に関し、特に、ユーザーが入力ユニットにより正確な確認すべき情報を入力したときに、該目覚し時計装置の報知音を止めることにより、寝坊防止の効果を達成することが可能な言語学習機能を有する寝坊防止用の目覚し時計装置に関する。
【背景技術】
【０００２】
現代の社会は時間的効率が求められ、競爭が非常に激しい。そのため、設定時間になると注意を喚起する目覚し時計のような製品が消費者の生活必需品となってる。ユーザーは目覚し時計を利用して時間を有効に管理することができる。一般的な目覚し時計装置では、喚起方式として目覚し時計の内部のスピーカから発生する音声、閃光や点灯又は転動や搖動等の動作を利用して、ユーザーの注意を喚起したり、ユーザーの目を覚まさせたりすることが多い。
【０００３】
また、目覚めていても起床しない習慣をユーザーが有する場合、報知音が鳴ったとき、ユーザーは意識を回復していないので、報知音のスイッチを止めて睡眠を続け、目覚し時計の設定時間を過ぎても起床しなかった結果、仕事、学校、約束に遅れる。このように、寝坊防止用の機能を有しない目覚し時計装置は、ユーザーが目覚める前に、喚起の機能がユーザーによって解除されるので、ユーザーを覚醒させて起床させることはできない。
【０００４】
現在、目覚し時計の外観や報知音が進展し、目覚し時計の報知音として単調な報知音だけでなく、変化の多い非単調な報知音もある。しかし、ユーザーは長時間にわたって同じ報知音を聞き続けると、その報知音に慣れ易く、報知音を発する目覚し時計を放置しておいた結果、起床が遅くなる。
【考案の概要】
【考案が解決しようとする課題】
【０００５】
かかる事情を鑑みて、本願考案者は寝坊防止の機能及び多種の報知音を有する目覚し時計装置を考案した。また、本願考案者は、目覚し時計が鳴っているときにユーザーが外国語を学習できるように、本考案に言語学習機能をさらに備えさせた。
【課題を解決するための手段】
【０００６】
先行技術にかかる事情を鑑みて、本願考案者は報知音を本考案の技術的特徴の一つとする製品を考案した。本願考案者は、ユーザーが報知音を聞き取って外国の言語を学習できるように、本考案のプリセット情報の人の声の発音、即ち、外国語における語彙、フレーズ、文、数字、符号又はそれらの組合せの発音を、目覚し時計の報知音として利用した。のみならず、ユーザーは、確認すべき情報、即ち、前記外国の言語における語彙、フレーズ、文、数字、符号又はそれらの組合せのスペルを入力ユニットにより入力し、入力された確認すべき情報と前記プリセット情報が一致すれば、目覚し時計の報知音が停止することで、学習の結果が正しいことを確認できる。
【０００７】
さらに、本考案において寝坊防止の設計も技術的特徴の一つである。初めて目覚し時計の報知音が鳴って止められてから数分間後、目覚し時計の報知音が再び鳴り、且つ鳴る時間が長く続くほど音量が大きくなる。外国語における語彙、フレーズ、文、数字、符号又はそれらの組合せの繰り返し発音がユーザーの聴覚を刺激することにより、「寝坊しない」とユーザーの注意を喚起するだけでなく、ユーザーにその発音を聞き取らせ続けることもできる。このように、予め設定した多種の言語をユーザーが自然に習得することができる。「朝の1時間は夕方の2時間の価値がある。」という諺の通り、朝起床したばかりのと
きに外国語を学習できれば、その習得した言語を人の心に印象深く残し、且つ習得した語彙をはっきり覚え易いことができる。
【０００８】
上記の目的を達成するために、本考案は言語学習機能を有する寝坊防止用の目覚し時計装置を提供し、その目覚し時計装置は、時間を計測するための時計ユニットと、目覚し時計の時間を設定するための時間設定ユニットと、目覚し時計の報知音を発生する報知音発生ユニットと、前記目覚し時計の報知音を待機、又は停止させるためのスイッチと、プリセット情報又は確認すべき情報を入力するための入力ユニットと、前記計測された時間及び前記プリセット情報及び前記確認すべき情報のうちの少なくとも１つを表示するための表示ユニットと、前記プリセット情報を保存するとともに前記プリセット情報と前記確認すべき情報が同じかを確認するための情報処理ユニットとを含む。
【０００９】
前記目覚し時計装置は前記計測された時間を表示するためのダイヤル式表示ユニットをさらに含むことが好ましい。
【００１０】
前記表示ユニットはデジタル式表示パネルであることが好ましい。前記デジタル式表示パネルは液晶表示スクリーン又は発光ダイオード表示スクリーンであることが好ましい。
【００１１】
前記入力ユニットはキー入力式又はタッチ入力式の入力ユニットであることが好ましい。前記入力ユニットは情報が入力できるように無線伝送ユニットにさらに接続されていることが好ましい。
【００１２】
前記無線伝送ユニットは携帯電話、コンピュータ、個人用デジタル補助装置（personal
digital assistant, PDA）又はそれらの組合せであることが好ましい。
【００１３】
前記プリセット情報及び確認すべき情報は一種又は多種の言語における語彙、フレーズ、文、数字、符号又はそれらの組合せであることが好ましい。前記目覚し時計の報知音は前記プリセット情報の発音又はベル音であることが好ましい。前記目覚し時計の報知音は前記プリセット情報の発音であることが好ましい。
【００１４】
前記情報処理ユニットはマイクロプロセッサであることが好ましい。
【００１５】
以上のように、本考案は寝坊防止機能及び言語学習機能を有する目覚し時計装置を提供し、ユーザーは毎日目覚し時計が鳴っているときに外国の言語を学習するとともに学習の結果が正しいかを確認できる。これにより、寝坊しないように目覚まし機能を達成できる。
【考案を実施するための形態】
【００１６】
本考案に係る、言語学習機能を有する寝坊防止用の目覚し時計装置は二種の好ましい実施形態を有する。以下、図１又は図２を参照して本考案の実施形態を説明する。
まず、図１に示すように、本考案に係る目覚し時計装置100は、時間を計測するための
時計ユニット（装置の内部に位置し、図示せず）と、目覚し時計の時間を設定するための時間設定ユニット10と、目覚し時計の報知音を発生するための報知音発生ユニット（装置の内部に位置し、図示せず）と、前記目覚し時計の報知音を待機、又は停止させるためのスイッチ20と、プリセット情報又は確認すべき情報を入力するための入力ユニット30と、前記計られた時間及び前記プリセット情報及び前記確認すべき情報のうちの少なくとも１つを表示するための表示ユニット40と、前記プリセット情報を保存するとともに前記プリセット情報と前記確認すべき情報が同じかを確認するための情報処理ユニット（装置の内部に位置し、図示せず）とを含む。
【００１７】
本考案に係る目覚し時計装置において、時間の表示方式としては、図１に示すように、時間と、前記入力ユニット30により入力された情報とを共に表示ユニット40上に表示する。この実施形態の表示ユニット40は時間表示ユニット41及び情報表示ユニット42を含む。前記表示ユニット40は例えばデジタル式表示パネルに限定されるものではなく、いかなる従来の表示ユニットとしてもよい。また、前記デジタル式表示パネルは例えば液晶表示スクリーン又は発光ダイオード表示スクリーンに限定されるものではなく、いかなる従来のデジタル式表示パネルとしてもよい。
時間の表示方式としては、図２に示すように、時間をダイヤル式表示ユニット43に表示してもよい。この実施形態において、表示ユニット40は前記入力ユニット30により発生された情報のみを表示する。
【００１８】
本考案に係る目覚し時計装置100において、前記入力ユニット30は情報を入力するため
のものであり、キー入力式又はタッチ入力式の入力ユニットである。前記入力ユニット30はユーザーがリモート側で情報を入力できるように無線伝送ユニット50にさらに接続されていてもよい。前記無線伝送ユニット5 0は例えばブルートゥース(blue tooth)又は赤外
線の機能を含む伝送装置に限定されるものではなく、無線伝送機能を有するいかなるユニットとしてもよい。その伝送装置は例えば携帯電話、コンピュータ、個人用デジタル補助装置（personal digital assistant, PDA）又はそれらの組合せに限定されるものではな
い。
【００１９】
本考案に係る目覚し時計装置100において、前記プリセット情報及び確認すべき情報は
一種又は多種の言語における語彙、フレーズ、文、数字、符号又はそれらの組合せである。本考案の目覚し時計の報知音は前記プリセット情報の発音又はベル音である。好ましい実施例において、前記目覚し時計の報知音は前記プリセット情報の発音であり、例えば、一般市販の言語翻訳機から発生する、語彙、フレーズ、文を人が読んだ声を収録したものである。
【００２０】
本考案の情報処理ユニットは前記プリセット情報を保存するためのマイクロプロセッサである。ユーザーが入力ユニット30により前記プリセット情報を、目覚し時計の報知音として入力することができる。ユーザーが確認すべき情報を入力すると、その確認すべき情報と前記プリセット情報が同じかを前記情報処理ユニットが確認することができる。同じであれば、目覚し時計の報知音が停止し、同じでなければ、鳴り続く。
【００２１】
本考案の操作フローとしては、図３に示すように、ユーザーが目覚し時計の時間設定ユニット10を操作して、ステップ１（Ｓ１）にて目覚し時計のプリセット時間を発生させ、Ｓ２において入力ユニット30によりプリセット情報（例えば、「Elephant」の単語）を入力し、本考案の情報処理ユニットが前記プリセット情報を保存し、ユーザーが目覚し時計のスイッチ20をオンにする（Ｓ３）。
計られた時間が前記プリセット時間に来ると、目覚し時計の報知音発生ユニットが目覚し時計の報知音を発生し（Ｓ４）、その目覚し時計の報知音が前記プリセット情報の発音である。ユーザーは、その報知音を聞き取り、確認すべき情報に解釈し、前記表示ユニット40に表示されるその確認すべき情報を入力ユニット30により入力する（Ｓ５）。
そして、情報処理ユニットが前記確認すべき情報を認識し、Ｓ６において前記確認すべき情報と前記プリセット情報が同一か否かを判断する。確認すべき情報と前記プリセット情報が同じであれば（例えば、前記プリセット情報「Elephant」のスペル）、Ｓ７において目覚し時計の報知音が停止し、同じでなければ（例えば、ユーザーの入力は「Alephant」であり、前記プリセット情報である「Elephant」のスペルではない）、Ｓ８で目覚し時計の報知音が鳴り続く。
ユーザーが初めて目覚し時計の報知音を聞き取り、Ｓ９にてスイッチ20を止めると、止めてから数分間後、目覚し時計の報知音が鳴り出し（Ｓ１０）、ユーザーが正確な確認す
べき情報（例えば、前記プリセット情報である「Elephant」のスペル）を入力ユニット30により入力したときに、目覚し時計の報知音が停止する。
【００２２】
以上のように、本考案は寝坊防止機能及び言語学習機能を有する目覚し時計装置を提供し、ユーザーは毎日目覚し時計が鳴っているときに外国の言語を学習できるとともに寝坊しないように目覚し機能を有効に達成できる。
【図面の簡単な説明】
【００２３】
【図１】本考案に係るダイヤル式表示ユニットを含まない目覚し時計装置の外観の模式図。
【図２】本考案に係るダイヤル式表示ユニットを含む目覚し時計装置の外観の模式図。
【図３】は本考案に係る目覚し時計装置の操作を示すフローチャート。
【符号の説明】
【００２４】
１０…時間設定ユニット、２０…スイッチ、３０…入力ユニット、４０…表示ユニット、４１…時間表示ユニット、４２…情報表示ユニット、４３…ダイヤル表示ユニット、５０…無線伝送ユニット、１００…目覚し時計装置。
【図１】
0003162875.tif 000003
【図２】
0003162875.tif 000004
【図３】
0003162875.tif 000005
【手続補正書】
【提出日】平成22年7月20日(2010.7.20)
【手続補正１】
【補正対象書類名】実用新案登録請求の範囲
【補正対象項目名】全文
【補正方法】変更
【補正の内容】
【実用新案登録請求の範囲】
【請求項１】
寝坊防止用の目覚し時計装置であり、
時間を計測するための時計ユニットと、
目覚し時計の時間を設定するための時間設定ユニットと、
目覚し時計の報知音を発生する報知音発生ユニットと、
前記目覚し時計の報知音を待機、又は停止させるスイッチと、
プリセット情報、又は確認すべき情報を入力するための入力ユニットと、
前記計測された時間及び前記プリセット情報及び前記確認すべき情報のうちの少なくとも１つを表示するための表示ユニットと、
前記プリセット情報を保存するとともに前記プリセット情報と前記確認すべき情報が同一か否かを確認するための情報処理ユニットとを含む目覚し時計装置。
【請求項２】
前記目覚し時計装置は、計測された前記時間を表示するためのダイヤル式表示ユニットをさらに含むことを特徴とする請求項１記載の目覚し時計装置。
【請求項３】
前記表示ユニットはデジタル式表示パネルであることを特徴とする請求項１記載の目覚し時計装置。
【請求項４】
前記デジタル式表示パネルは液晶表示スクリーン又は発光ダイオード表示スクリーンであることを特徴とする請求項３記載の目覚し時計装置。
【請求項５】
前記入力ユニットはキー入力式又はタッチ入力式の入力ユニットであることを特徴とする請求項１記載の目覚し時計装置。
【請求項６】
前記入力ユニットは情報が入力できるように無線伝送ユニットにさらに接続されていることを特徴とする請求項１記載の目覚し時計装置。
【請求項７】
前記無線伝送ユニットは携帯電話、コンピュータ、個人用デジタル補助装置（personaldigital assistant, PDA）又はそれらの組合せであることを特徴とする請求項６記載の
目覚し時計装置。
【請求項８】
前記プリセット情報及び確認すべき情報は一種又は多種の言語の語彙、フレーズ、文、数字、符号又はそれらの組合せであることを特徴とする請求項１記載の目覚し時計装置。
【請求項９】
前記目覚し時計の報知音は前記プリセット情報の発音又はベル音であることを特徴とする請求項１記載の目覚し時計装置。
【請求項１０】
前記情報処理ユニットはマイクロプロセッサであることを特徴とする請求項１記載の目覚し時計装置。